(57)【要約】      （修正有）【課題】４枚の略四角形状のパネルからなる組立式包装用容器の提供。【解決手段】底パネル１０の四辺の近傍には穴１１が設けられ、蓋パネル２０の四辺それぞれには欠き込み部２２が設けられる。正面パネル３０ａ、背面パネル３０ｂ、左右一対の側面パネル４０ａ、４０ｂそれぞれの下辺には、底パネル１０の穴１１に対応して下辺凸部３１、４１が設けられ、正面パネル３０ａ、背面パネル３０ｂ及び左右一対の側面パネル４０ａ、４０ｂそれぞれの上辺には、蓋パネル２０の欠き込み部２２に対応して上辺凸部４２が設けられる。正面パネル３０ａ、背面パネル３０ｂ、左右一対の側面パネル４０ａ、４０ｂそれぞれの下辺凸部３１、４１を底パネル１０の穴１１に差し込むとともに、それぞれの上辺凸部４２を蓋パネル２０の欠き込み部２２に嵌め合わせ、正面パネル３０ａ及び背面パネル３０ｂの両側辺に設けられたそれぞれの側辺凹部３３と、左右一対の側面パネル４０ａ、４０ｂの両側辺に設けられたそれぞれの側辺凸部４３とを嵌め合わせ、組み立てる。【選択図】図３
0003203571.tif 000002
【実用新案登録請求の範囲】
【請求項１】
６枚の略四角形状のパネルからなる組立式包装用容器であって、
底パネルの四辺の近滂には穴が設けられ、
蓋パネルの四辺それぞれには欠き込み部が設けられ、
正面パネル、背面パネル及び左右一対の側面パネルそれぞれの下辺には、底パネルの穴に対応して下辺凸部が設けられ、
正面パネル、背面パネル及び左右一対の側面パネルそれぞれの上辺には、蓋パネルの欠き込み部に対応して上辺凸部が設けられ、
正面パネル、背面パネル及び左右一対の側面パネルそれぞれの下辺凸部を前記底パネルの穴に差し込むとともに、それぞれの上辺凸部を前記蓋パネルの欠き込み部に嵌め合わせ、さらに、
正面パネル及び背面パネルの両側辺に設けられたそれぞれの側辺凹部と、これらに対応し、左右一対の側面パネルの両側辺に設けられたそれぞれの側辺凸部とを嵌め合わせ、組み立てることを特徴とする組立式包装用容器。
【請求項２】
底パネルに設けられた穴は、正面パネル、背面パネルそれぞれの下辺に設けられた下辺凸部に対応して、各辺に少なくとも一以上設けられ、
左右一対の側面パネルそれぞれの下辺に設けられた下辺凸部に対応して、各辺に少なくとも一以上設けられたことを特徴とする、請求項１に組立式包装用容器。
【請求項３】
蓋パネルに設けられた欠き込み部は、
正面パネル、背面パネルそれぞれの上辺に設けられた上辺凸部に対応して、各辺に少なくとも一以上設けられ、
左右一対の側面パネルそれぞれの上辺に設けられた上辺凸部に対応して、各辺に少なくとも一以上設けられたことを特徴とする、請求項１または２のいずれかに記載の組立式包装用容器。
【請求項４】
正面パネル及び背面パネルの両側辺に設けられたそれぞれの側辺凹部と、これらに対応し、左右一対の側面パネルの両側辺に設けられたそれぞれの側辺凸部とは、各辺に少なくとも一以上設けられたことを特徴とする、請求項１〜３のいずれかに記載の組立式包装用容器。
【請求項５】
正面パネルと背面パネルは同一形状であり、左右一対の側面パネルは互いに同一形状であることを特徴とする、請求項１〜４のいずれかに記載の組立式包装用容器。
【請求項６】
正面パネルと背面パネル、左右一対の側面パネルをそれぞれ垂直に立てた際に、蓋パネルの四辺それぞれに設けられた欠き込み部には、対応する上辺凸部それぞれが嵌め込まれ、蓋パネル及びそれぞれの欠き込み部を足した大きさが容器の蓋の大きさとなることを特徴とする、請求項１〜５のいずれかに記載の組立式包装用容器。
【請求項７】
正面パネルと背面パネル、左右一対の側面パネルをそれぞれ垂直に立てた際に、底パネルの四辺それぞれに設けられた穴には、対応する下辺凸部それぞれが嵌め込まれ、蓋パネル及びそれぞれの欠き込み部を足した蓋の大きさより、容器の底面の大きさの方が大きくなることを特徴とする、請求項１〜６のいずれかに記載の組立式包装用容器。
【請求項８】
底パネルの四辺それぞれに設けられた穴に代え、底パネルの四辺それぞれには欠き込み部が設けられ、
正面パネルと背面パネル、左右一対の側面パネルをそれぞれ垂直に立てた際に、底パネルの四辺それぞれに設けられた欠き込み部には、対応する下辺凸部それぞれが嵌め込まれ、蓋パネル及びそれぞれの欠き込み部を足した大きさが容器の底面の大きさとなることを特徴とする、請求項１〜６のいずれかに記載の組立式包装用容器。
【請求項９】
蓋パネルの四辺それぞれに設けられた欠き込み部に代え、蓋パネルの四辺それぞれには穴が設けられ、
正面パネルと背面パネル、左右一対の側面パネルをそれぞれ垂直に立てた際に、蓋パネルの四辺それぞれに設けられた穴には、対応する下辺凸部それぞれが嵌め込まれ、蓋パネル及びそれぞれの穴を足した大きさが容器の底面の大きさとなることを特徴とする、請求項１〜６のいずれかに記載の組立式包装用容器。
【請求項１０】
５枚の略四角形状のパネルからなる組立式包装用容器であって、
蓋パネルの四辺それぞれには欠き込み部が設けられ、
正面パネル、背面パネル及び左右一対の側面パネルそれぞれの上辺には、蓋パネルの欠き込み部に対応して上辺凸部が設けられ、
正面パネル、背面パネル及び左右一対の側面パネルそれぞれの上辺凸部を前記蓋パネルの欠き込み部に嵌め合わせ、さらに、
正面パネル及び背面パネルの両側辺に設けられたそれぞれの側辺凹部と、これらに対応し、左右一対の側面パネルの両側辺に設けられたそれぞれの側辺凸部とを嵌め合わせ、組み立てることを特徴とする組立式包装用容器。
【考案の詳細な説明】
【技術分野】
【０００１】
本考案は、包装用容器に関する。包装用容器は、物品の梱包、配送、保管などに使用可能なものに限らず、物品の収納、整理整頓、展示、その他の各種用途に使用可能なものであり、簡易な組み立てと分解が可能なものである。
【背景技術】
【０００２】
【特許文献１】特開２００４−１６８３３０
【特許文献２】特開２０１０−１３２３３４
【０００３】
このような組み立て式の箱状のものとして、従来、凸部を穴に差し込んで組み立てることにより、箱が形成されるものが知られている。
特開２００４−１６８３３０「組立式ケース」においては、金属板やアクリル板などのような硬質性の材質の組立ケースであっても、接着剤やネジなどの係止材を使わずに組み立てられる技術が開示されている。
組立ケースを、Ｌ型に形成した係合突起を側部に複数個設けた係合パネルと、その側部に設けた係合突起の折り曲げた先端を嵌入できる嵌入孔をパネル面に形成した嵌合パネルとで構成したものである。組立の際には、嵌合パネルの嵌入孔に係合パネルの係合突起を嵌め、スライドさせて係合パネルのＬ形の係合突起の垂直部に嵌合パネルの嵌入孔の端縁を当接させたのち、ストッパーで固定して両者を分離しないようにすることで、金属板やアクリル板などのような硬質性の材質の組立ケースでも、接着剤やネジなどの係止材を使わずに組み立てられるようにしたものである。
【考案の概要】
【考案が解決しようとする課題】
【０００４】
しかしながら、上気発明においては、Ｌ型に形成した係合突起やストッパーなど、箱を形成する６面の板以外にも、細かい部材を必要とし、組み立てにおいても６面の板を組み合わせるだけでなく、部材を取り付けたり、スライドしたりするなどの手間がかかる。また、Ｌ型の突起を加工するなど、加工にも手間がかかり、また力や重量がかかれば折れるなどの恐れもある。
【０００５】
特開２０１０−１３２３３４「組立式梱包箱」においては、小型・軽量のケースに適用できる従来の組立式ケースを、輸送用の梱包箱など大型で重量がある場合にも、作業者が一人で組み立てることができるようにした梱包箱が開示されている。
上記発明によれば、６枚の略四角形状のパネルが互いに差し込まれる組立式梱包箱において、底パネル及び蓋パネルにはそれぞれの四辺の近滂に穴を設け、前パネル及び後パネル及び側パネルにそれぞれ、底パネルと蓋パネルの対応する穴に差込まれる凸部を設け、前パネル及び後パネルの両側方には一対の側パネルの穴に差込まれる凸部を設けたものである。
【０００６】
上記発明によれば、組み立てにおいても６面の板を組み合わせるだけで、それ以外の部材を必要とせずに、またＬ型突起などの細かい加工を施すこともなく、組み立て式の箱を形成することができる。
しかしながら、上記発明においては、底パネル、蓋パネル、一対の側パネルの４枚のパネルにおいて、それぞれの四辺の近滂に穴を設けている。このため、図２に示されるごとく、それぞれの四辺の近滂に設けられた穴の外側は、組み立てられた際に箱の外側に各面のパネルがはみ出しているため、形成された箱の角は滑らかにはならず、凹凸が目立つものとなる。
このため、荷物の梱包、保管、輸送などには利用できるものの、物品の展示などの用途には向かない。
また、形成された箱は、箱の外側に各面のパネルがはみ出しているため、その分だけ箱全体の嵩より、実際に箱に収容できる体積は小さくなるので、荷物の梱包、保管、輸送などには利用する場合であっても、スペースに無駄が生じる。
そこで本考案においては、上記の様々な課題を解決し、箱を形成する６枚のパネルだけで簡易に組み立て、分解ができ、その部材加工のコストも安く、物品の梱包、配送、保管などに限らず、物品の収納、整理整頓、展示、その他の各種用途に利用可能な組立式包装用容器を提供することを目的とする。
また、組み立て時には箱の体積を最大限に利用でき、分解時には小さく収容できる組立式包装用容器を提供することを目的とする。
【課題を解決するための手段】
【０００７】
上記課題を解決するため、請求項１に記載の考案は、
６枚の略四角形状のパネルからなる組立式包装用容器であって、
底パネルの四辺の近滂には穴が設けられ、
蓋パネルの四辺それぞれには欠き込み部が設けられ、
正面パネル、背面パネル及び左右一対の側面パネルそれぞれの下辺には、底パネルの穴に対応して下辺凸部が設けられ、
正面パネル、背面パネル及び左右一対の側面パネルそれぞれの上辺には、蓋パネルの欠き込み部に対応して上辺凸部が設けられ、
正面パネル、背面パネル及び左右一対の側面パネルそれぞれの下辺凸部を前記底パネルの穴に差し込むとともに、それぞれの上辺凸部を前記蓋パネルの欠き込み部に嵌め合わせ、さらに、
正面パネル及び背面パネルの両側辺に設けられたそれぞれの側辺凹部と、これらに対応し、左右一対の側面パネルの両側辺に設けられたそれぞれの側辺凸部とを嵌め合わせ、組み立てる組立式包装用容器であることを特徴とする。
【０００８】
上記課題を解決するため、請求項２に記載の考案は、
底パネルに設けられた穴は、正面パネル、背面パネルそれぞれの下辺に設けられた下辺凸部に対応して、各辺に少なくとも一以上設けられ、
左右一対の側面パネルそれぞれの下辺に設けられた下辺凸部に対応して、各辺に少なくとも一以上設けられた、請求項１に組立式包装用容器であることを特徴とする。
【０００９】
上記課題を解決するため、請求項３に記載の考案は、
蓋パネルに設けられた欠き込み部は、
正面パネル、背面パネルそれぞれの上辺に設けられた上辺凸部に対応して、各辺に少なくとも一以上設けられ、
左右一対の側面パネルそれぞれの上辺に設けられた上辺凸部に対応して、各辺に少なくとも一以上設けられた、請求項１または２のいずれかに記載の組立式包装用容器であることを特徴とする。
【００１０】
上記課題を解決するため、請求項４に記載の考案は、
正面パネル及び背面パネルの両側辺に設けられたそれぞれの側辺凹部と、これらに対応し、左右一対の側面パネルの両側辺に設けられたそれぞれの側辺凸部とは、各辺に少なくとも一以上設けられた、請求項１〜３のいずれかに記載の組立式包装用容器であることを特徴とする。
【００１１】
上記課題を解決するため、請求項５に記載の考案は、
正面パネルと背面パネルは同一形状であり、左右一対の側面パネルは互いに同一形状である、請求項１〜４のいずれかに記載の組立式包装用容器であることを特徴とする。
【００１２】
上記課題を解決するため、請求項６に記載の考案は、
正面パネルと背面パネル、左右一対の側面パネルをそれぞれ垂直に立てた際に、蓋パネルの四辺それぞれに設けられた欠き込み部には、対応する上辺凸部それぞれが嵌め込まれ、蓋パネル及びそれぞれの欠き込み部を足した大きさが容器の蓋の大きさとなる、請求項１〜５のいずれかに記載の組立式包装用容器であることを特徴とする。
【００１３】
上記課題を解決するため、請求項７に記載の考案は、
正面パネルと背面パネル、左右一対の側面パネルをそれぞれ垂直に立てた際に、底パネルの四辺それぞれに設けられた穴には、対応する下辺凸部それぞれが嵌め込まれ、蓋パネル及びそれぞれの欠き込み部を足した蓋の大きさより、容器の底面の大きさの方が大きくなる、請求項１〜６のいずれかに記載の組立式包装用容器であることを特徴とする。
【００１４】
上記課題を解決するため、請求項８に記載の考案は、
底パネルの四辺それぞれに設けられた穴に代え、底パネルの四辺それぞれには欠き込み部が設けられ、
正面パネルと背面パネル、左右一対の側面パネルをそれぞれ垂直に立てた際に、底パネルの四辺それぞれに設けられた欠き込み部には、対応する下辺凸部それぞれが嵌め込まれ、蓋パネル及びそれぞれの欠き込み部を足した大きさが容器の底面の大きさとなる、請求項１〜６のいずれかに記載の組立式包装用容器であることを特徴とする。
【００１５】
上記課題を解決するため、請求項９に記載の考案は、
蓋パネルの四辺それぞれに設けられた欠き込み部に代え、蓋パネルの四辺それぞれには穴が設けられ、
正面パネルと背面パネル、左右一対の側面パネルをそれぞれ垂直に立てた際に、蓋パネルの四辺それぞれに設けられた穴には、対応する下辺凸部それぞれが嵌め込まれ、蓋パネル及びそれぞれの穴を足した大きさが容器の底面の大きさとなる、請求項１〜６のいずれかに記載の組立式包装用容器であることを特徴とする。
【００１６】
上記課題を解決するため、請求項１０に記載の考案は、
５枚の略四角形状のパネルからなる組立式包装用容器であって、
蓋パネルの四辺それぞれには欠き込み部が設けられ、
正面パネル、背面パネル及び左右一対の側面パネルそれぞれの上辺には、蓋パネルの凹部に対応して上辺凸部が設けられ、
正面パネル、背面パネル及び左右一対の側面パネルそれぞれの上辺凸部を前記蓋パネルの欠き込み部に嵌め合わせ、さらに、
正面パネル及び背面パネルの両側辺に設けられたそれぞれの側辺凹部と、これらに対応し、左右一対の側面パネルの両側辺に設けられたそれぞれの側辺凸部とを嵌め合わせ、組み立てる組立式包装用容器であることを特徴とする。
【考案の効果】
【００１７】
これらにより、箱を形成する６枚のパネルだけで簡易に組み立て、分解ができ、その部材加工のコストも安く、物品の梱包、配送、保管などに限らず、物品の収納、整理整頓、展示、その他の各種用途に利用可能な組立式包装用容器を提供することができる。
また、組み立て時には箱の体積を最大限に利用でき、分解時には小さく収容できる組立式包装用容器を提供することができる。
【図面の簡単な説明】
【００１８】
【図１】底パネル、蓋パネルの一例を示す平面図である。
【図２】正面パネル及び背面パネル、左右一対の側面パネルの一例を示す側面図である。
【図３】底パネル、蓋パネル、正面パネル、背面パネル、左右一対の側面パネルの一例を示す斜視図である。
【図４】底パネル、蓋パネル、正面パネル、背面パネル、左右一対の側面パネルの組み立ての一例を示す斜視図である。
【図５】組み立てた包装用容器の一例を示す側面図である。
【図６】底パネル、蓋パネルの別の一例を示す平面図である。
【図７】正面パネル及び背面パネル、左右一対の側面パネルの別の一例を示す側面図である。
【図８】底パネル、蓋パネルのさらに別の一例を示す平面図である。
【図９】組み立てた包装用容器のさらに別の一例を示す側面図である。
【図１０】底パネル、蓋パネルのさらに別の一例を示す平面図である。
【図１１】蓋パネル、正面パネル及び背面パネル、左右一対の側面パネルのさらに別の一例を示す平面図である。
【図１２】蓋パネル、正面パネル、背面パネル、左右一対の側面パネルの組み立ての一例を示す斜視図である。
【考案を実施するための形態】
【００１９】
以下、本考案の組立式包装用容器について、図面を参照して説明する。
本考案は、６枚の略四角形状のパネルからなる組立式包装用容器であって、６枚のパネルは、箱が完成した時に底面となる底パネル（１０）、蓋となる蓋パネル（２０）、４枚の側面のパネルから形成される。
４枚の側面のパネルは、一方向から見た時に正面に位置する正面パネル（３０ａ）、背面に位置する背面パネル（３０ｂ）と、左右一対の側面パネル（４０あ、４０ｂ）とからなる。４枚の側面のパネルは、いずれが正面であってもよいものであり、本明細書においては、任意の一方向から見た時に正面に位置するパネルを正面パネル（３０ａ）と称している。
また、各パネルの材質は、各種の合板、木質ボード、アクリルその他の樹脂ボード、金属製ボード、その他各種の素材を用いることができる。色彩も透明、半透明、不透明など、各種のものに適用でき、大きさも問わない。
また、図面では略立方体の形状の箱を示しているが、これには限定されない。
【００２０】
初めに、図面を参照すると、図１は、底パネル（１０）、蓋パネル（２０）の一例を示す平面図である。
本考案の組立式包装用容器は、底パネル（１０）の四辺の近滂には穴（１１）が設けられている。
底パネル（１０）に設けられた穴（１１）は、四辺の内の対向する二辺においては、正面パネル（３０ａ）、背面パネル（３０ｂ）それぞれの下辺に設けられた下辺凸部（３１）に嵌め込まれるものであり、これに対応して、各辺に少なくとも一以上設けられる。最低でも1か所、好ましくは２か所またはそれ以上である。
また、底パネル（１０）に設けられた穴（１１）は、四辺の内の対向する残りの二辺においては、左右一対の側面パネル（４０ａ，４０ｂ）それぞれの下辺に設けられた下辺凸部（４１）に嵌め込まれるものであり、これに対応して、各辺に少なくとも一以上設けられる。最低でも1か所、好ましくは２か所またはそれ以上である。
たとえば、図１〜図４の各図面においては、四辺それぞれに穴(１１)が２か所ずつ設けられた例を示している。
一方、図６においては、四辺の内の対向する二辺においては穴(１１)が３か所ずつ設けられ、四辺の内の対向する残りの二辺においては穴(１１)が２か所ずつ設けられた例を示している。
【００２１】
次に、再度図１を参照すると、蓋パネル（２０）の四辺それぞれには欠き込み部（２２）が設けられている。
図２は、正面パネル及び背面パネル、左右一対の側面パネルの一例を示す側面図である。
蓋パネル（２０）に設けられた欠き込み部（２２）は、四辺の内の対向する二辺においては、正面パネル（３０ａ）、背面パネル（３０ｂ）それぞれの上辺に設けられた上辺凸部（３１）に対応して、各辺に少なくとも一以上設けられている。最低でも1か所、好ましくは２か所またはそれ以上である。正面パネル（３０ａ）、背面パネル（３０ｂ）それぞれの上辺に設けられた上辺凸部（３１）が嵌め込まれる部分である。
また、蓋パネル（２０）に設けられた欠き込み部（２２）は、四辺の内の対向する残りの二辺においては、左右一対の側面パネル（４０ａ，４０ｂ）それぞれの上辺に設けられた上辺凸部（４２）に対応して、各辺に少なくとも一以上設けられている。最低でも1か所、好ましくは２か所またはそれ以上である。左右一対の側面パネル（４０ａ，４０ｂ）それぞれの上辺に設けられた上辺凸部（４２）が嵌め込まれる部分である。
【００２２】
図２は、正面パネル及び背面パネル、左右一対の側面パネルの一例を示す側面図である。
正面パネル（３０ａ）、背面パネル（３０ｂ）及び左右一対の側面パネル（４０ａ，４０ｂ）それぞれの下辺には、底パネル（１０）の穴（１１）に対応して下辺凸部（３１，４１）が設けられている。下辺凸部（３１，４１）は、底パネル（１０）の対応するそれぞれの穴（１１）に差し込まれ、嵌め込まれるものである。
正面パネル（３０ａ）、背面パネル（３０ｂ）の下辺には、穴（１１）に対応して、各辺に少なくとも一以上設けられ、最低でも1か所、好ましくは２か所またはそれ以上である。
左右一対の側面パネル（４０ａ，４０ｂ）の下辺には、穴（１１）に対応して、各辺に少なくとも一以上設けられ、最低でも1か所、好ましくは２か所またはそれ以上である。
図１〜図４の各図面においては、四辺それぞれに穴(１１)が２か所ずつ設けられた例を示しているが、たとえば、正面パネル（３０ａ）、背面パネル（３０ｂ）の下辺にはそれぞれ２か所ずつ、左右一対の側面パネル（４０ａ，４０ｂ）の下辺にはそれぞれ３か所ずつといったものでもよい。
【００２３】
再度図２を参照すると、正面パネル（３０ａ）、背面パネル（３０ｂ）及び左右一対の側面パネル（４０ａ，４０ｂ）それぞれの上辺には、蓋パネル（２０）の欠き込み部（２２）に対応して上辺凸部（３２，４２）が設けられている。
欠き込み部（２２）に対応して、各辺に少なくとも一以上設けられ、最低でも1か所、好ましくは２か所またはそれ以上である。
上辺凸部（３２，４２）は、蓋パネル（２０）の対応するそれぞれの欠き込み部（２２）に嵌め込まれるものである。
【００２４】
次に、本考案の組立式包装用容器の組立の手順について説明する。
図３は、底パネル、蓋パネル、正面パネル、背面パネル、左右一対の側面パネルの一例を示す斜視図である。
図４は、底パネル、蓋パネル、正面パネル、背面パネル、左右一対の側面パネルの組み立ての一例を示す斜視図である。
図５は、組み立てた包装用容器の一例を示す側面図である。
図６は、底パネル、蓋パネルの別の一例を示す平面図である。
図７は、正面パネル及び背面パネル、左右一対の側面パネルの別の一例を示す側面図である。
【００２５】
初めに、底パネル（１０）を床に設置し、正面パネル（３０ａ）、背面パネル（３０ｂ）及び左右一対の側面パネル（４０ａ，４０ｂ）それぞれの下辺凸部（３１，４１）を、底パネル（１０）の穴（１１）に差し込む。これにより側面の各パネルが自立する。
図２を参照すると、正面パネルと背面パネルは同一形状であり、左右一対の側面パネルは互いに同一形状である。
しかしながら、完成する箱が立方体、直方体の場合には、正面パネルと背面パネルは少なくとも同一サイズであり、左右一対の側面パネルは互いに同一サイズとなるが、必ずしもこれには限定されない。たとえば、底パネルと蓋パネルをそれぞれ台形や菱形にして、正面パネル、背面パネル、左右一対の側面パネルそれぞれをこれに対応したサイズと形状にすることができる。
また、下辺凸部（３１，４１）、上辺凸部（３２，４２）、側辺凹部（３３）、側辺凸部（４３）の数や大きさ、形状は、場所によって変えたものとして形成することもできる。
【００２６】
次に、図２を参照して、正面パネル（３０ａ）及び背面パネル（３０ｂ）、左右一対の側面パネル（４０ａ，４０ｂ）同士の組み立てについて説明する。
正面パネル（３０ａ）及び背面パネル（３０ｂ）の両側辺に設けられたそれぞれの側辺凹部（３３）と、これらに対応し、左右一対の側面パネル（４０ａ，４０ｂ）の両側辺に設けられたそれぞれの側辺凸部（４３）とは、各辺に少なくとも一以上設けられている。最低でも1か所、好ましくは２か所またはそれ以上である。
正面パネル（３０ａ）、背面パネル（３０ｂ）及び左右一対の側面パネル（４０ａ，４０ｂ）それぞれの下辺凸部（３１，４１）を、底パネル（１０）の穴（１１）に差し込んだとき、正面パネル（３０ａ）及び背面パネル（３０ｂ）の両側辺に設けられたそれぞれの側辺凹部（３３）と、これらに対応し、左右一対の側面パネル（４０ａ，４０ｂ）の両側辺に設けられたそれぞれの側辺凸部（４３）とを嵌め合わせる。
これにより蓋パネル（２０）以外の組み立てが完成する。中に物品を入れたり、入れたものを展示する等の場合には、この状態で箱を置き、中に物を入れるなどすればよい。
【００２７】
次いで、それぞれの上辺凸部（３２，４２）を、蓋パネル（２０）の欠き込み部（２２）に嵌め合わせる。これにより、本考案の組立式包装用容器の組立が完成する。
このとき、正面パネル（３０ａ）、背面パネル（３０ｂ）及び左右一対の側面パネル（４０ａ，４０ｂ）それぞれは相互に、特許文献２の図２に示されるように組み立てられた箱の外側に各面のパネルがはみ出すこともなく、形成された箱の角は滑らかになり、凹凸が目立つことはない。
また、正面パネル（３０ａ）、背面パネル（３０ｂ）及び左右一対の側面パネル（４０ａ，４０ｂ）それぞれと、蓋パネル（２０）との間でも、形成された箱の角は滑らかになり、凹凸が目立つことはない。
組立式包装用容器の分解は、組み立ての手順の逆を行えばよい。
【００２８】
前記のとおり、正面パネル（３０ａ）、背面パネル（３０ｂ）及び左右一対の側面パネル（４０ａ，４０ｂ）それぞれと、蓋パネル（２０）との間でも、形成された箱の角は滑らかになり、パネルがはみ出したりすることはないようにされている。
このため、正面パネル（３０ａ）と背面パネル（３０ｂ）、左右一対の側面パネル（４０ａ，４０ｂ）をそれぞれ垂直に立てた際に、蓋パネル（２０）の四辺それぞれに設けられた欠き込み部（２２）には、対応する上辺凸部（３２，４２）それぞれが嵌め込まれ、蓋パネル（２０）及びそれぞれの欠き込み部（２２）を足した大きさが容器の蓋の大きさとなる。
図５は、組み立てた包装用容器の一例を示す側面図である。
【００２９】
一方、正面パネル（３０ａ）と背面パネル（３０ｂ）、左右一対の側面パネル（４０ａ，４０ｂ）をそれぞれ垂直に立てた際に、底パネル（１０）の四辺それぞれに設けられた穴（１１）には、対応する下辺凸部（３１，４１）それぞれが嵌め込まれ、蓋パネル（２０）及びそれぞれの欠き込み部（２２）を足した蓋の大きさより、容器の底面の大きさの方が大きくなる。
図１〜図５においては、蓋の大きさより、容器の底面の大きさの方が大きくなる例を示している。
【００３０】
しかしながら、蓋の大きさより、容器の底面の大きさの方が大きくならず、両者を同じような大きさにすることもできる。
下記にその一例について説明する。
図８は、底パネル、蓋パネルのさらに別の一例を示す平面図である。
図９は、組み立てた包装用容器のさらに別の一例を示す側面図である。
この一例においては、底パネル（１０）の四辺それぞれに設けられた穴（１１）に代え、底パネルの四辺それぞれには欠き込み部（１１ａ）が設けられている。
正面パネル（３０ａ）と背面パネル（３０ｂ）、左右一対の側面パネル（４０ａ，４０ｂ）をそれぞれ垂直に立てた際に、底パネル（１０）の四辺それぞれに設けられた欠き込み部（１１ａ）には、対応する下辺凸部（３１，４１）それぞれが嵌め込まれる。
これにより、蓋パネル（２０）及びそれぞれの欠き込み部（２２）を足した大きさが容器の底面の大きさとなる。
図８においては、蓋の大きさと、容器の底面の大きさとが同一になる例が示されている。
【００３１】
一方、蓋の大きさと、容器の底面の大きさとを同じような大きさにする、別の一例について説明する。
図１０は、底パネル、蓋パネルのさらに別の一例を示す平面図である。
図８に示した例は、底パネル（１０）を図１に示した蓋パネル（２０）と同じ形状、大きさにする例であるが、図１０においては、蓋パネル（２０）を図１に示した底パネル（１０）と同じ形状、大きさにする例を示している。
この一例においては、蓋パネル（２０）の四辺それぞれに設けられた欠き込み部（２２）に代え、蓋パネル（２０）の四辺それぞれには穴（２２ａ)が設けられている。
正面パネル（３０ａ)と背面パネル(３０ｂ）、左右一対の側面パネル（４０ａ，４０ｂ）をそれぞれ垂直に立てた際に、蓋パネル（２０）の四辺それぞれに設けられた穴（２２ａ）には、対応する下辺凸部（３１，４１）それぞれが嵌め込まれる。
これにより、蓋パネル（２０）及びそれぞれの穴（２２ａ）を足した大きさが容器の底面の大きさとなる。
【００３２】
次に、本考案の組立式包装用容器は、６枚の略四角形状のパネルからなるものが基本形であるが、箱の内部に物を展示するなど、ディスプレイ用の保護ケース等として使用する場合には、底パネル（１０）は不要な場合がある。
このため、５枚の略四角形状のパネルからなる組立式包装用容器として、蓋パネル（２０）と、正面パネル（３０ａ）、背面パネル（３０ｂ）、左右一対の側面パネル（４０ａ，４０ｂ）とから構成されるようにしてもよい。
図１１は、この場合の蓋パネル（２０）、正面パネル（３０ａ）及び背面パネル（３０ｂ）、左右一対の側面パネル（４０ａ，４０ｂ）のさらに別の一例を示す平面図である。
蓋パネル（２０）の四辺それぞれには欠き込み部（２２）が設けられている。なお、請求項９及び図１０に示したように、欠き込み部（２２）に代えて穴（２２ａ）にしてもよい。
正面パネル（３０ａ）、背面パネル（３０ｂ）及び左右一対の側面パネル（４０ａ，４０ｂ）それぞれの上辺には、蓋パネル（２０）の欠き込み部（２２）に対応して上辺凸部（３２，４２）が設けられている。
一方、本実施例の場合には、底パネル（２０）はなく、５枚の略四角形状のパネルからなるものであるため、下辺凸部（３１，４１）は設けない。
組み立てに際しては、正面パネル（３０ａ）、背面パネル（３０ｂ）及び左右一対の側面パネル（４０ａ，４０ｂ）それぞれの上辺凸部（３２，４２）を蓋パネル（２０）の欠き込み部（２２）に嵌め合わせる。さらに、正面パネル（３０ａ）及び背面パネル（３０ｂ）の両側辺に設けられたそれぞれの側辺凹部（３３）と、これらに対応し、左右一対の側面パネル（４０ａ，４０ｂ）の両側辺に設けられたそれぞれの側辺凸部（４３）とを嵌め合わせ、組み立てが完成する。
図１２は、本実施例の、蓋パネル、正面パネル、背面パネル、左右一対の側面パネルの組み立ての一例を示す斜視図である。
【産業上の利用可能性】
【００３３】
以上詳細に説明したように、本考案によれば、箱を形成する６枚のパネルだけで簡易に組み立て、分解ができ、その部材加工のコストも安く、物品の梱包、配送、保管などに限らず、物品の収納、整理整頓、展示、その他の各種用途に利用可能な組立式包装用容器を提供することができる。
【符号の説明】
【００３４】
１０  底パネル
１１  穴
１１ａ  欠き込み部
２０  蓋パネル
２２  欠き込み部
２２ａ  穴
３０ａ  正面パネル
３０ｂ  背面パネル
３１  下辺凸部
３２  上辺凸部
３３  側辺凹部
４０ａ，４０ｂ  左右一対の側面パネル
４１  下辺凸部
４２  上辺凸部
４３  側辺凸部
【図１】
0003203571.tif 000003
【図２】
0003203571.tif 000004
【図３】
0003203571.tif 000005
【図４】
0003203571.tif 000006
【図５】
0003203571.tif 000007
【図６】
0003203571.tif 000008
【図７】
0003203571.tif 000009
【図８】
0003203571.tif 000010
【図９】
0003203571.tif 000011
【図１０】
0003203571.tif 000012
【図１１】
0003203571.tif 000013
【図１２】
0003203571.tif 000014